【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
マッハツェンダー変調器（ＭＺＭ）と、
一つ又は複数のコンポーネントと、
を備え、前記一つ又は複数のコンポーネントは、
デイザを有する子ＤＣバイアスを前記ＭＺＭの第１のブランチのアーム及び前記ＭＺＭの第２のブランチのアームに供給し、
前記第１のブランチのアーム及び前記第２のブランチのアームへの前記デイザを有する子ＤＣバイアスの供給と関連する第１のリターン信号の第２高調波を検出し、
位相シフトされたデイザ、即ち前記デイザから位相がずれたデイザ、を有する子ＤＣバイアスを前記第１のブランチのアーム又は前記第２のブランチのアームに供給し、ここで前記位相シフトされたデイザは前記デイザの周波数と一致する周波数を有し、
前記第１のブランチのアーム又は前記第２のブランチのアームへの前記位相シフトされたデイザを有する子ＤＣバイアスの供給と関連する第２のリターン信号の第２高調波を検出し、
前記第１のリターン信号の前記第２高調波及び前記第２のリターン信号の前記第２高調波に基づいて、前記第１のブランチ及び前記第２のブランチが直交位相で動作しているかどうかを決定し、且つ
前記第１のブランチ及び前記第２のブランチが直交位相で動作しているかどうかに基づいて、前記第１のブランチ及び前記第２のブランチに供給される親ＤＣバイアスを選択的に調整する、
電気光学デバイス。
【請求項２】
前記一つ又は複数のコンポーネントは、前記第１のブランチ及び前記第２のブランチが直交位相で動作しているかどうかを決定する際に、
前記第１のリターン信号の前記第２高調波と前記第２のリターン信号の前記第２高調波との差がゼロに等しいとき、前記第１のブランチ及び前記第２のブランチが直交位相で動作していると決定する、
請求項１に記載の電気光学デバイス。
【請求項３】
前記一つ又は複数のコンポーネントは、前記親ＤＣバイアスを選択的に調整する際に、
前記第１のブランチ及び前記第２のブランチに既に供給されている親ＤＣバイアスの供給を維持する、
請求項２に記載の電気光学デバイス。
【請求項４】
前記一つ又は複数のコンポーネントは、前記第１のブランチ及び前記第２のブランチが直交位相で動作しているかどうかを決定する際に、
前記第１のリターン信号の前記第２高調波と前記第２のリターン信号の前記第２高調波との差がゼロより大きい又は小さいとき、前記第１のブランチ及び前記第２のブランチが直交位相で動作していないと決定する、
請求項１に記載の電気光学デバイス。
【請求項５】
前記一つ又は複数のコンポーネントは、前記親ＤＣバイアスを選択的に調整する際に、
前記第１のブランチに供給されている親ＤＣバイアスを所定の量だけ増加させ、且つ
前記第２のブランチに供給されている親ＤＣバイアスを前記所定の量だけ減少させる、
請求項４に記載の電気光学デバイス。
【請求項６】
前記一つ又は複数のコンポーネントは、前記位相シフトされたデイザを有する子ＤＣバイアスを前記第１のブランチのアーム又は前記第２のブランチのアームに供給する際に、
前記デイザを有する前記子ＤＣバイアスを前記第２のブランチのアームに供給すると同時に、前記位相シフトされたデイザを有する前記子ＤＣバイアスを前記第１のブランチのアームに供給する、
請求項１に記載の電気光学デバイス。
【請求項７】
前記一つ又は複数のコンポーネントは、前記位相シフトされたデイザを有する子ＤＣバイアスを前記第１のブランチのアーム又は前記第２のブランチのアームに供給する際に、
前記位相シフトされたデイザを有する子ＤＣバイアスを前記第１のブランチのアーム及び前記第２のブランチのアームに供給する、
請求項１に記載の電気光学デバイス。
【請求項８】
前記ＭＺＭはリン化インジウムから形成されたプレーナ部分を備える、請求項１に記載の電気光学デバイス。
【請求項９】
マッハツェンダー変調器（ＭＺＭ）と、
コントローラと、
を備え、前記コントローラは、
前記ＭＺＭの第１のブランチのアーム及び前記ＭＺＭの第２のブランチのアームへのデイザを有する子ＤＣバイアスの供給によって生じる第１のリターン信号の第２高調波を決定し、
前記第１のブランチのアーム又は前記第２のブランチのアームへの位相シフトされたデイザ、即ち前記デイザから位相がずれたデイザ、を有する子ＤＣバイアスの供給によって生じる第２のリターン信号の第２高調波を決定し、ここで前記位相シフトされたデイザは前記デイザの周波数と一致する周波数を有し、
前記第１のリターン信号の前記第２高調波及び前記第２のリターン信号の前記第２高調波に基づいて、前記第１のブランチ及び前記第２のブランチが直交位相で動作しているかどうかを決定し、且つ
前記第１のブランチ及び前記第２のブランチが直交位相で動作しているかどうかに基づいて、前記第１のブランチ及び前記第２のブランチに供給される親ＤＣバイアスを選択的に調整する、
電気光学ＩＱ位相変調器。
【請求項１０】
前記コントローラは、前記第１のブランチ及び前記第２のブランチが直交位相で動作しているかどうかを決定する際に、
前記第１のリターン信号の前記第２高調波と前記第２のリターン信号の前記第２高調波との差がゼロと異なるかどうかに基づいて、前記第１のブランチ及び前記第２のブランチが直交位相で動作しているかどうかを決定する、
請求項９に記載の電気光学ＩＱ位相変調器。
【請求項１１】
前記コントローラは、前記親ＤＣバイアスを選択的に調整する際に、
前記コントローラが前記第１のブランチ及び前記第２のブランチが直交位相で動作していると決定するとき、前記第１のブランチ及び前記第２のブランチに既に供給されている親ＤＣバイアスの供給を維持する、
請求項９に記載の電気光学ＩＱ位相変調器。
【請求項１２】
前記コントローラは、前記親ＤＣバイアスを選択的に調整する際に、
前記コントローラが前記第１のブランチ及び前記第２のブランチが直交位相で動作していないと決定するとき、前記第１のブランチに供給されている親ＤＣバイアスを特定の量だけ増加させ、且つ前記第２のブランチに供給されている親ＤＣバイアスを前記特定の量だけ減少させる、
請求項９に記載の電気光学ＩＱ位相変調器。
【請求項１３】
前記位相シフトされたデイザは前記デイザから位相が約１８０度ずれている、請求項９に記載の電気光学ＩＱ位相変調器。
【請求項１４】
前記コントローラは更に、
前記デイザを有する子ＤＣバイアスを前記第１のブランチのアーム及び前記第２のブランチのアームに供給する、
請求項９に記載の電気光学ＩＱ位相変調器。
【請求項１５】
前記コントローラは更に、
前記デイザを有する子ＤＣバイアスを前記第１のブランチのアームに供給すると同時に、前記位相シフトされたデイザを有する子ＤＣバイアスを前記第２のブランチのアームに供給する、
請求項９に記載の電気光学ＩＱ位相変調器。
【請求項１６】
前記コントローラは更に、
前記位相シフトされたデイザを有する子ＤＣバイアスを前記第１のブランチのアーム及び前記第２のブランチのアームに供給する、
請求項９に記載の電気光学ＩＱ位相変調器。
【請求項１７】
前記ＭＺＭは、前記ＭＺＭに供給される電圧の変化によって吸収率に非線形挙動又は変化を呈する材料から形成されたプレーナ部分を備える、請求項９に記載の電気光学ＩＱ位相変調器。
【請求項１８】
コントローラによって、デイザを有する子ＤＣバイアスをマッハツェンダー変調器（ＭＺＭ）の第１のブランチのアーム及び前記ＭＺＭの第２のブランチのアームに供給するステップと、
前記コントローラによって、前記第１のブランチのアーム及び前記第２のブランチのアームへの前記デイザを有する子ＤＣバイアスの供給と関連する第１のリターン信号の第２高調波を決定するステップと、
前記コントローラによって、位相シフトされたデイザ、即ち前記デイザから位相がずれたデイザ、を有する子ＤＣバイアスを前記第１のブランチのアーム又は前記第２のブランチのアームに供給するステップと、ここで前記位相シフトされたデイザは前記デイザの周波数と一致する周波数を有し、
前記コントローラによって、前記第１のブランチのアーム又は前記第２のブランチのアームへの前記位相シフトされたデイザを有する子ＤＣバイアスの供給と関連する第２のリターン信号の第２高調波を決定するステップと、
前記コントローラによって、前記第１のリターン信号の前記第２高調波及び前記第２のリターン信号の前記第２高調波に基づいて、前記第１のブランチ及び前記第２のブランチが直交位相で動作しているかどうかを決定するステップと、
前記コントローラによって、前記第１のブランチ及び前記第２のブランチが直交位相で動作しているかどうかに基づいて、前記第１のブランチ及び前記第２のブランチに供給される親ＤＣバイアスを選択的に調整するステップと、
を備える、方法。
【請求項１９】
前記第１のブランチ及び前記第２のブランチが直交位相で動作しているかどうかを決定するステップは、
前記第１のリターン信号の前記第２高調波と前記第２のリターン信号の前記第２高調波との差に基づいて、前記第１のブランチ及び前記第２のブランチが直交位相で動作していることを決定するステップを含む、
請求項１８に記載の方法。
【請求項２０】
前記親ＤＣバイアスを選択的に調整するステップは、
前記第１のブランチ及び前記第２のブランチが直交位相で動作しているとき、前記第１のブランチ及び前記第２のブランチに既に供給されている前記親ＤＣバイアスの供給を維持する、又は
前記第１のブランチ及び前記第２のブランチが直交位相で動作していないとき、前記第１のブランチ又は前記第２のブランチに供給されている前記親ＤＣバイアスを特定の量だけ変化させる、
請求項１８に記載の方法。